(57)【特許請求の範囲】
【請求項１】
リモコン信号光を出射するとともに向きを変更できる発光部と、測量機から出射された可視光のレーザビ−ムを前記測量機側へ反射させるとともに前記レーザビームによるレーザスポット位置を確認するターゲットを着脱自在に装着することができるターゲット装着部とを備えた測量機用リモコン装置。
【請求項２】
前記ターゲット装着部は、前記リモコン装置の側面に設けられた溝と、該溝内で前記ターゲットの一端に設けられた複数の小孔に対応する位置に設けられた突起とからなる請求項１に記載の測量機用リモコン装置。
【発明の詳細な説明】
【０００１】
【発明の属する技術分野】
本発明は、墨出し用レーザ機器やレーザプレーナ等を遠隔制御するための測量機用リモートコントロール装置（以下、リモコン装置という。）に関する。
【０００２】
【従来の技術】
墨出し用レーザ機器やレーザプレーナ等を用いて墨出しするときには、測量機から可視光のレーザビ−ムを出射し、このレーザビームを壁面等に固定したターゲットで測量機側へ反射させ、このターゲットの位置を基準にして、レーザビームをスキャンさせていた。または、二人の作業員で、一人がターゲットを位置決めし、他の一人が測量機を操作してレーザビームが適切にターゲットを照射するように調節していた。
【０００３】
近年では、測量機本体から離れた場所からでも測量機の遠隔操作ができるようにと、測量機本体とは別体にリモコン装置を備えるようになってきた。このようなリモコン装置は、その前面に発光部が設けられていて、この発光部から出射されたリモコン信号光（赤外線）を測量機本体のリモコン受光部で受光するようになっている。このようなリモコン装置を用いると、ターゲット側の作業員一人で墨出し作業が可能となる。
【０００４】
【発明が解決しようとする課題】
しかしながら、リモコン装置を備えた測量機を用いて、一人で墨出し作業をするときは、測量機を背にして壁等に向かい、片手でターゲットの位置を固定しつつ、他方の手でリモコン装置を握り、他方の手の適宜指でリモコン装置の操作キーを操作しなければならない。しかも、リモコン装置は前面に発光部を設けているので、リモコン装置を操作するときは、測量機の方へ振り返って、リモコン装置の前面を測量機に向ける必要がある。このように、墨出し作業時のリモコン装置の操作は、作業員にとって極めて煩わしく、作業中にターゲットが所定位置から位置ずれを起こし易いという問題があった。
【０００５】
本発明は、前記問題を解決するため、墨出し作業時のリモコン装置の操作を容易にするとともに、作業中にターゲットが所定位置から位置ずれを起こしにくくすることを課題とする。
【０００６】
【課題を解決するための手段】
上記の課題を解決するため、請求項１に係る発明のリモコン装置では、リモコン信号光を出射するとともに向きを変更できる発光部と、測量機から出射された可視光のレーザビ−ムを前記測量機側へ反射させるとともに前記レーザビームによるレーザスポット位置を確認するターゲットを着脱自在に装着することができるターゲット装着部とを備える。
【０００７】
請求項２に係る発明では、請求項１に係る発明において、前記ターゲット装着部は、前記リモコン装置の側面に設けられた溝と、該溝内で前記ターゲットの一端に設けられた複数の小孔に対応する位置に設けられた突起とからなる。
【０００８】
【発明の実施の形態】
次に、本発明の一実施例を図面に基づいて説明する。本実施例のリモコン装置の正面図を図１に、その上面図を図２に、その右側面図を図３に、その左側面図を図４に、その背面図を図５に示す。なお、以下の説明では、図１の上側を前、同図の下側を後、同図の紙面上側を正面、同図の紙面下側を背面ということにする。
【０００９】
本実施例のリモコン装置は、下ケース１０と上ケース１２とからなる本体１と、本体１の前面に固定される発光部ハウジング２と、発光部ハウジング２内に収容され、リモコン信号光（赤外線）を出射する発光部３からなる。この本体１は、従来のものと同じく、正面に複数の操作キー１４が配置され、内部に図示しないリモコン回路基板を収容し、側面に目盛１６が付されている。そして、この本体１は、後面に天井や壁等の鉄部の適宜位置に固定するためのマグネット４が固着され、側部に後述するターゲット５を固定するターゲット装着部６を備えること以外は、従来のリモコン装置と同じである。
【００１０】
発光部ハウジング２は、本体１の前面に固定される基部２０と、基部２０の左右両側から前方へ突出する一対の耳部２２と、一対の耳部２２の間に配置される発光部３を覆うカバー２４と、カバー２４と耳部２２の両方に固着され、カバー２４を耳部２２に固定する一対のカバー固定部材２６とからなる。カバー２４はリモコン信号光を透過させるプラスチック材料からなる。
【００１１】
発光部３は、一対の側板３０と一対の側板３０を連結する底板３２とからなり、両側板３０から回転軸３４を夫々左右へ突設した回転枠３６と、一対の側板３０間に固定された発光部基板３８と、発光部基板３８上に固定された複数の発光ダイオード（ＬＥＤ）４０からなる。発光部３に複数の発光ダイオード４０を備えることにより、相当離れた測量機にもリモコン信号光を送れるようにしている。もちろん、高出力の発光ダイオードを使用すれば、発光ダイオードの数を減らすことができる。
【００１２】
発光部３の側板３０から突設された回転軸３４は、発光部ハウジング２の一対のカバー固定部材２６夫々設けられた軸孔２８に軸支されている。そして、一方の回転軸３４にはつまみ４２が固定されており、つまみ４２を回すことにより、発光部３の向きを変更して、リモコン信号光の出射方向を変更できるようにしている。つまみ４２には発光部３の向きを示す三角形の印４３が付けられていて、発光部３の向きが分かるようになっている。
【００１３】
カバー固定部材２６と側板３０の間には、スプリングワッシャ等のように両者間に摩擦力を及ぼす摩擦部材４４が介在されていて、つまみ４２をある程度の力で回さなければ発光部３が回転しないようにして、発光部３の向きを任意位置に固定できるようにしている。このような摩擦部材４４の代りに、側板３０には回転軸３４と同心円上に凹凸をつけ、カバー固定部材２６にはこの凹凸にバネ付勢される凸部を設け、前記凹凸と凸部を噛み合わせる等して、ある程度の力でつまみ４２を回さなければ発光部３が回転しないようにする回転抑制機構を設けてもよい。さらに、回転軸３４に対しては、発光部３の向きを本体１の背面方向から正面方向の約２７０°に制限させるため、図示しないストッパーも設けられている。
【００１４】
発光ダイオード４０を固定する発光部基板３８と本体１内のリモコン回路基板とは、回転枠３６の底板３２に開けられた長孔４６に嵌合したゴムブッシュ４７を貫通するフラットケーブル４８によって接続されており、このフラットケーブル４８により発光ダイオード４０に給電している。フラットケーブル４８には適当な弛みを持たせて、発光部３が回転することを妨げないようにしている。
【００１５】
本体１の下ケース１０の両側面には、ターゲット５を固定するターゲット装着部６として、目盛１６に沿った溝６０と、下ケース１０の背面（裏面）から溝６０に達する切欠き６２と、この切欠き６２の位置で溝６０の一側からリモコン装置の背面に向けて突設され、略溝６０の幅程度の高さを有し、先端部が適当に湾曲した突起６４とが設けられる。ここで、切欠き６２の溝６０に達する部分は、幅を急激に広くした拡幅部６６とされている。このターゲット装着部６は、下ケースの左右両側に設けられていて、作業員の利き手に応じて、左右のどちらにもターゲット５を固定できるようになっている。
【００１６】
ターゲット５は、例えば赤色の薄い厚さのポリカーボネートの可撓性シートからなり、測量機からのレーザビームで照射されたとき、表面側からレーザスポット７が見易いように、裏面の左右の半分に反射シートが貼着され、表面に白色の中心線５０等の直線と目盛５２が付されている。そして、ターゲット５には反射シートを貼着していない面があるので、ターゲット５の背面からもレーザスポット７を見ることができるようになっている。また、ターゲット５には、左右のいずれか一方に、リモコン装置の側面の溝６０に挿入する溝挿入部５４が設けられ、この溝挿入部５４には、溝６０内に突設された突起６４に対応する位置に小孔５６が開けられている。さらに、ターゲット５は、上下対称になっており、上下を逆にすることにより、本体１の左右どちらのターゲット装着部６にも装着可能になっている。
【００１７】
ターゲット５の溝挿入部５４を本体１の溝６０に挿入すると、溝挿入部５４が切欠き６２の拡幅部６６と溝６０内の突起６４の存在により容易に弾性変形して突起６４を乗り越え、小孔５６が突起６４と係合して、ターゲット５がリモコン装置に確実に固定できるようになっている。すなわち、小孔５６と突起６４がいったん係合してしまうと、突起６４の高さが略溝６０の幅程度であるから、簡単に小孔５６と突起６４との係合が外れないようになっている。しかし、ある程度以上の力でターゲット５を引っ張ると、簡単にターゲット５をリモコン装置から外せるようになっている。
【００１８】
本実施例のリモコン装置を使用するときは、リモコン装置の作業員の利き手により右又は左の側面にターゲット５を取り付け、作業員が測量機を背にして壁等に向かったときは、つまみ４２を回して発光部３をリモコン装置の正面（測量機側）に向け、片手でリモコン装置を所定位置に固定すると、ターゲット５上のレーザスポット７を見ながら、自由に使える他方の手でリモコン装置の操作キー１４を操作することにより、測量機の遠隔操作が可能となる。また、作業員が測量機に向かって作業するときは、つまみ４２を回して発光部３をリモコン装置の背面（測量機側）に向け、リモコン装置を片手で所定位置に固定すると、レーザスポット７をターゲット５の背面から見ながら、他方の手でリモコン装置の操作キー１４を操作することにより、測量機を遠隔操作することもできる。
【００１９】
このように、本実施例のリモコン装置は、ターゲット５を装着するととともに、発光部３の向きを測量機の方へ変更すると、リモコン装置を片手で固定することにより、ターゲット５を所定位置に固定することができ、しかも他方の手はリモコン装置の操作等に自由に使える。このため、本実施例のリモコン装置を使用すると、墨出し作業を一人の作業員でも容易に行うことができ、作業中にターゲットの位置ずれを起こすこともほとんどなくなる。また、このリモコン装置は、天井や壁等の鉄部にマグネット４によって固定できるので、墨出し作業にも保管にも便利である。
【００２０】
もちろん、発光部３を前方に向けて、従来のリモコン装置と同じように使用することも可能であるし、測量機の位置によっては、発光部３を正面と背面との間の適宜角度に固定して使用することも可能である。
【００２１】
ところで、本発明は、前記実施例に限るものではなく、種々の変形が可能である。たとえば、発光部３において、底板３２を省いて、発光部基板３８のみで一対の側板３０を連結して回転枠３６を構成してもよい。また、可撓性のない硬いターゲット５を使用するとともに、リモコン装置のターゲット装着部６としては、下ケース１０の両側に設けた溝６０と、溝６０内に設けた突起６４のみとし、ターゲット５の溝挿入部５４を溝６０内に挿入したとき、溝挿入部５４が突起６４を弾性変形させつつ突起６４を乗り越え、溝挿入部５４の小孔５６と突起６４とが係合するようにしてもよい。または、ターゲット装着部６としては、下ケース１０の両側に単に溝６０のみを設け、溝６０と溝挿入部５４との間の摩擦力のみでターゲット５を固定するようにしてもよい。
【００２２】
【発明の効果】
以上の説明から明らかなように、請求項１に係る発明のリモコン装置では、リモコン信号光を出射するとともに向きを変更できる発光部と、測量機から出射された可視光のレーザビ−ムを前記測量機側へ反射させるとともに前記レーザビームによるレーザスポット位置を確認するターゲットを着脱自在に装着することができるターゲット装着部とを備えたから、ターゲットを装着するととともに、発光部の向きを測量機の方へ変更すると、リモコン装置を片手で固定することにより、ターゲットを所定位置に固定することができ、しかも他方の手はリモコン操作等に自由に使える。このため、本発明のリモコン装置を使用すると、墨出し作業を一人の作業員でも容易に行うことができ、作業中にターゲットの位置ずれを起こすこともほとんどなくなる。
【００２３】
また、請求項２に係る発明では、さらに、ターゲット装着部は、前記リモコン装置の側面に設けられた溝と、該溝内で前記ターゲットの一端に設けられた複数の小孔に対応する位置に設けられた突起とからなるので、ターゲット溝内に挿脱することにより、ターゲットをリモコン装置にワンタッチで着脱でき、しかも、ターゲットの装着時には、溝内の突起とターゲットの小孔が確実に係合しているので、ターゲットがリモコン装置から不用意に外れることもほとんどない。
【図面の簡単な説明】
【図１】本発明の一実施例に係るリモコン装置の正面図である。
【図２】前記リモコン装置の平面図である。
【図３】前記リモコン装置の右側面図である。
【図４】前記リモコン装置の左側面図である。
【図５】前記リモコン装置の背面図である。
【符号の説明】
１        本体
２        発光部ハウジング
３        発光部
５        ターゲット
６        ターゲット装着部
５６      小孔
６０      溝
６４      突起
【図１】
0003860487.tif 000002
【図２】
0003860487.tif 000003
【図３】
0003860487.tif 000004
【図４】
0003860487.tif 000005
【図５】
0003860487.tif 000006